(57)【要約】  本発明は、インプラント植立のためのインプラント用ステントにおいて、インプラントを植立するための穿孔作業がさらに安定的、正確かつ迅速に行われるように、ステントの外側からステントを貫通して歯肉及び歯槽骨に結合される精密誘導植立のためのインプラント用のステント固定体であって、その技術的構成は、前記ステントまたは前記ステントの内側に充填された弾性体を貫通して歯肉内の歯槽骨と螺合するようにネジ山が形成されたネジ山部と、前記ネジ山から長手方向に所定の長さを有して一体に形成された誘導部と、前記誘導部の上端部に前記誘導部の外径よりさらに大きい直径を有する頭部とを備える固定スクリュー；及び前記固定スクリューが螺合される位置で前記歯肉に対して所定の支持力を有する支持部と、前記支持部から内側に前記誘導部に対応する形状を有する誘導結合孔を備える誘導部とからなる固定ベース；を備えることを要旨とする。
2011501998.tif 000002
【特許請求の範囲】
【請求項１】
インプラント植立のためのインプラント用ステントにおいて、
前記ステントまたは前記ステントの内側に充填された弾性体を貫通して歯肉内の歯槽骨と螺合するようにネジ山が形成されたネジ山部と、前記ネジ山から長手方向に所定の長さを有する誘導部と、前記誘導部の上端部に設けられ前記誘導部の外径よりさらに大きい直径を有する頭部とを備える固定スクリューと、
前記固定スクリューが螺合される位置で前記歯肉に対して所定の支持力で支持する支持部と、前記支持部の内面より内側に設けられ前記誘導部に対応する形状を有する誘導結合孔を備える誘導部とからなる固定ベースと、
を備えた精密誘導植立のためのインプラント用のステント固定体。
【請求項２】
前記頭部の外形は円形であることを特徴とする請求項１に記載の精密誘導植立のためのインプラント用のステント固定体。
【請求項３】
前記頭部の外形は多角形であることを特徴とする請求項１に記載の精密誘導植立のためのインプラント用のステント固定体。
【請求項４】
前記頭部の上端面の所定の位置に多角形の締結溝がさらに形成されることを特徴とする請求項１に記載の精密誘導植立のためのインプラント用のステント固定体。
【請求項５】
前記誘導部と前記誘導結合孔とは相互に対応する形状に形成されることを特徴とする請求項１に記載の精密誘導植立のためのインプラント用のステント固定体。
【請求項６】
前記誘導部の外形はテーパー状を有し、その縦断面が台形に形成されることを特徴とする請求項１に記載の精密誘導植立のためのインプラント用のステント固定体。
【請求項７】
前記誘導部の外形は円筒形であることを特徴とする請求項１に記載の精密誘導植立のためのインプラント用のステント固定体。
【請求項８】
前記支持部は円板状であることを特徴とする請求項１に記載の精密誘導植立のためのインプラント用のステント固定体。
【請求項９】
前記支持部は多角形であることを特徴とする請求項１に記載の精密誘導植立のためのインプラント用のステント固定体。
【請求項１０】
前記固定スクリューは、前記頭部の下端部に補助ネジ山部をさらに備え、前記固定ベースは、前記補助ネジ山部に対応する位置に補助ネジ山部と結合されるネジ山部をさらに備えることを特徴とする請求項１に記載の精密誘導植立のためのインプラント用のステント固定体。
【請求項１１】
前記固定ベースは、前記誘導部の上部に前記固定スクリューを取り囲むカバー部をさらに備えることを特徴とする請求項１に記載の精密誘導植立のためのインプラント用のステント固定体。
【請求項１２】
インプラント植立のためのインプラント用ステントにおいて、
前記ステントまたは前記ステントの内側に充填された弾性体を貫通して歯肉内の歯槽骨と螺合するようにネジ山が形成されたネジ山部と、前記ネジ山から長手方向に所定の長さを有する誘導部と、前記誘導部の上端部に前記誘導部の外径よりさらに大きい直径を有する頭部とを備える固定スクリューと、
前記固定スクリューが螺合される位置で前記歯肉に対して所定の支持力を有し、内側に前記誘導部に対応する形状を有する誘導結合孔を備える誘導部を備える固定ベースと、
を備える精密誘導植立のためのインプラント用のステント固定体。
【請求項１３】
前記誘導部の外周縁の所定の位置に円周方向に所定のサイズのグルーブがさらに形成されてなることを特徴とする請求項１２に記載の精密誘導植立のためのインプラント用のステント固定体。
【請求項１４】
前記頭部の外形は円形であることを特徴とする請求項１２に記載の精密誘導植立のためのインプラント用のステント固定体。
【請求項１５】
前記頭部の外形は多角形であることを特徴とする請求項１２に記載の精密誘導植立のためのインプラント用のステント固定体。
【請求項１６】
前記頭部の上端面の所定の位置に多角形の締結溝がさらに形成されることを特徴とする請求項１２に記載の精密誘導植立のためのインプラント用のステント固定体。
【請求項１７】
前記誘導部と前記誘導結合孔とは相互に対応する形状に形成されることを特徴とする請求項１２に記載の精密誘導植立のためのインプラント用のステント固定体。
【請求項１８】
前記誘導部の外形はテーパー状を有し、その縦断面が台形に形成されることを特徴とする請求項１２に記載の精密誘導植立のためのインプラント用のステント固定体。
【請求項１９】
前記誘導部の外形は円筒形であることを特徴とする請求項１２に記載の精密誘導植立のためのインプラント用のステント固定体。
【請求項２０】
前記支持部は円板状であることを特徴とする請求項１２に記載の精密誘導植立のためのインプラント用のステント固定体。
【請求項２１】
前記支持部は多角形であることを特徴とする請求項１２に記載の精密誘導植立のためのインプラント用のステント固定体。
【請求項２２】
前記固定スクリューは、前記頭部の下端部に補助ネジ山部をさらに備え、
前記固定ベースは、前記補助ネジ山部に対応する位置に補助ネジ山部と結合されるネジ山部をさらに備えることを特徴とする請求項１２に記載の精密誘導植立のためのインプラント用のステント固定体。
【請求項２３】
前記固定ベースは、前記誘導部の上部に前記固定スクリューを取り囲むカバー部をさらに備えることを特徴とする請求項１２に記載の精密誘導植立のためのインプラント用のステント固定体。
【発明の詳細な説明】
【技術分野】
【０００１】
本発明は、精密誘導植立のためのインプラント用のステントテンプレートに係り、さらに詳細には、部分的に歯が欠損している患者または無歯顎患者のための従来のインプラントテンプレートにさらに安定した維持力を確保させるための精密誘導植立のためのインプラント用のステント固定体に関する。
【背景技術】
【０００２】
インプラントとは、非常に損傷した歯を代替する人工歯または歯の抜けた部分に特殊金属（主にチタンまたはチタン合金）からなる人工歯根を顎骨に移植して骨に絡みつかせる方法で固定させた後、それに連結させて人工歯を形成することによって、本来の自身の歯のような感覚や噛む機能をもって生活できるようにする手術方法を言う。
【０００３】
このようなインプラントは、入れ歯、ブリッジなどを利用した手術方法と比較すると、手術の必要な歯以外に周辺の歯に損傷を与えず、寿命が長く、脱着型の義歯や固定ブリッジと比較して自然歯に類似しているなどの長所があり、最近広く使用される手術方法である。
【０００４】
前記のようなインプラントは、先ず、インプラント手術を受ける患者の歯肉を切開して歯槽骨を露出させる。次いで、露出した歯槽骨のうち、インプラントを挿入する位置を定め、前記位置にドリルのような穿孔具を用いて歯槽骨の所定位置を穿孔してインプラントを植立する穿孔を形成する。次いで、前記形成された穿孔にインプラントを植立し、歯肉で覆うことによってインプラントの設置が完了する。
【０００５】
一方、インプラントの手術時、歯肉を切開して歯槽骨を露出させた後、その上に直接ドリルなどを用いて穿孔を行う場合、穿孔作業を行う正確な位置及び方向を把握し難いため、通常、ステント（テンプレート）という補助具を使用している。処置において穿孔はテンプレートをガイドとして使用する。
【０００６】
このようなステントの場合、インプラント手術の前にゴム製の印象材料を利用して被施術者の上顎及び／または下顎の陰型を獲得した後、前記陰型に石膏を注いで被施術者の上顎及び／または下顎の形状と同じ石膏模型を製作する。次いで、これを人工咬合器と結合させて、被施術者のものとほぼ類似した顎関節及び上下顎歯を口腔の外で再現する。
【０００７】
テンプレートは通常透明な材料で作られる。これを無歯領域に配置し、インプラントの位置と方向を案内する。
【０００８】
有歯顎または無歯顎の手術者に対して穿孔作業を行うとき、従来のステントは、患者の歯肉の表面と接触する。歯肉は弾性があるため、ドリルの垂直または水平方向に対する安定性を確保することが非常に不安定である。穿は正確な深さ及び方向に穿孔することが要求されるが、従来のステントは有歯顎または無歯顎に対して垂直及び水平方向に対する安定性を確保することが非常に難しい。
【０００９】
テンプレートは、患者の歯及び歯肉の形状を複製した歯科モデルに加工される。しかし、インプラント処置においては、テンプレートは歯肉を切開して歯肉よりも歯槽骨の上に配置されるため、テンプレートの骨の上への固定は不正確になる場合がある。
【００１０】
歯槽骨は毎分１０００回転もの高速で穿孔される特性上、ドリルを用いた穿孔作業は、振動が発生し、前記振動によって歯槽骨との不整合が発生したステントは、振動によってその位置が変動する。したがって、最初にテンプレート上のマークと実際に手術すべき方向とは不一致になって、最初の手術者が意図したものと異なる位置及び方向に穿孔作業を行うこととなる原因になる。
【発明の概要】
【発明が解決しようとする課題】
【００１１】
前記問題点を解決するために、前記ステントの内部に所定の弾性力を有する弾性体を充填させることによって、前記弾性体と接触する有歯顎または無歯顎の手術者に対して穿孔作業を行うとき、垂直または水平方向に対する安定性を確保するようにしたが、有歯顎の場合、インプラントの植立位置の前後方向に歯が存在するため、安定性及び維持力を得ることができた。
【００１２】
しかし、完全無歯顎、歯が前後方向に存在しない場合、または歯の数が非常に少ないため、歯の動揺度が大きい場合には、付加的な維持力が要求される。
【課題を解決するための手段】
【００１３】
本発明は、前記問題点を解決するためになされたものであって、本発明は、インプラントを植立するための穿孔作業がさらに安定的、正確かつ迅速に行われるように、ステントの所定の位置に備えられる固定ベースに固定スクリューが歯肉及び歯槽骨と結合させる精密誘導植立のためのインプラント用のステント固定体を提供することを目的とする。
【発明の効果】
【００１４】
本発明によれば、多数の歯が欠損している患者または無歯顎患者のための従来のステントにさらに安定した維持力を確保させるために、ステントに備えられた固定ベースを通じて固定スクリューが挿入及びガイドされて、患者の歯肉及び歯槽骨と螺合することによってさらに安定した維持力をステントに確保させることによって、インプラントの精密誘導植立のための穿孔作業時、ステントの垂直または水平方向に対する安定性を確保させ、インプラントの植立位置の前後方向に安定性及び維持力を確保させることができる。
【図面の簡単な説明】
【００１５】
【図１】本発明の第１実施形態にかかる精密誘導植立のためのインプラント用のステント固定体を概略的に示す斜視図である。
【図２】本発明の第３実施形態による精密誘導植立のためのインプラント用のステント固定体を概略的に示す斜視図である。
【図３】図１の固定スクリューを概略的に示す斜視図である。
【図４】図３の固定スクリューの正面図及び側面図である。
【図５】図３の固定スクリューの縦断面図である。
【図６】固定ベースを概略的に示す斜視図である。
【図７】図５の左側面図、縦断面図及び右側面図である。
【図８】本発明の第２実施形態による精密誘導植立のためのインプラント用のステント固定体を概略的に示す斜視図である。
【図９】図８のステント固定体の平面図、正面図及び透視図である。
【図１０】本発明の第４実施形態による精密誘導植立のためのインプラント用のステント固定体を概略的に示す斜視図である。
【発明を実施するための形態】
【００１６】
前記目的を達成するための本発明の第１実施形態は、前記ステントまたは前記ステントの内側に充填された弾性体を貫通して歯肉内の歯槽骨に取り付けられるようにネジ山が形成されたネジ山部と、前記ネジ山から長手方向に所定の長さを有して一体に形成された誘導部と、前記誘導部の上端部に前記誘導部の外径よりさらに大きい直径を有する頭部とを備える固定スクリュー；及び前記固定スクリューが螺合される位置で前記歯肉に対して所定の支持力を有する支持部と、前記支持部から内側に前記誘導部に対応する形状を有する誘導結合孔を備える誘導部とからなる固定ベース；を備える精密誘導植立のためのインプラント用のステント固定体である。
【００１７】
好ましくは、前記頭部の外形は円形に形成し、円形以外の多様な多角形にも形成することが可能である。
【００１８】
好ましくは、前記頭部の上端面の所定の位置に多角形の締結溝をさらに形成することが可能である。
【００１９】
好ましくは、前記誘導部は、前記誘導結合孔の形状と相互に対応する形状に形成される。
【００２０】
好ましくは、前記誘導部の外形はテーパー状を有し、その縦断面が台形に形成される。
【００２１】
好ましくは、前記誘導部の外形は円筒形に形成することが可能である。
【００２２】
好ましくは、前記支持部は円板状である。
【００２３】
好ましくは、前記支持部は円板状以外に多角形にも形成することが可能である。
【００２４】
一方、本発明の第２実施形態は、前記ステントまたは前記ステントの内側に充填された弾性体を貫通して歯肉内の歯槽骨と螺合するようにネジ山が形成されたネジ山部と、前記ネジ山から長手方向に所定の長さを有して一体に形成された誘導部と、前記誘導部の上端部に前記誘導部の外径よりさらに大きい直径を有する頭部とを備える固定スクリュー；及び前記固定スクリューが螺合される位置で前記歯肉に対して所定の支持力を有し、内側に前記誘導部に対応する形状を有する誘導結合孔を備える誘導部を備える固定ベース；を備える精密誘導植立のためのインプラント用のステント固定体である。
【００２５】
好ましくは、前記誘導部の外周縁の所定の位置に円周方向に所定のサイズのグルーブがさらに形成される。
【００２６】
好ましくは、前記頭部の外形は円形に形成し、円形以外の多様な多角形にも形成することが可能である。
【００２７】
好ましくは、前記頭部の上端面の所定の位置に多角形の締結溝がさらに形成されることが可能であり、前記誘導部と前記誘導結合孔とは相互に対応する形状に形成される。
【００２８】
好ましくは、前記誘導部の外形はテーパー状を有し、その縦断面が台形に形成される。
【００２９】
好ましくは、前記誘導部の外形は円筒形にも形成することが可能である。
【００３０】
好ましくは、前記支持部は円板状に形成し、円板状以外に多角形にも形成することが可能である。
【００３１】
本発明の実施形態は、添付の図面を参照することにより詳細に説明される。
【００３２】
図１は本発明の第１実施形態による精密誘導植立のためのインプラント用のステント固定体を概略的に示す斜視図であり、図２は本発明の第３実施形態による精密誘導植立のためのインプラント用のステント固定体を概略的に示す斜視図であり、図３は図１の固定スクリューを概略的に示す斜視図であり、図４は図３の正面図及び側面図であり、図５は図３の縦断面図であり、図６は図１の固定ベースを概略的に示す斜視図であり、図７は図５の左側面図、縦断面図及び右側面図であり、図８は本発明の第２実施形態による精密誘導植立のためのインプラント用のステント固定体を概略的に示す斜視図であり、図９は図８の平面図、正面図及び透視図であり、図１０は本発明の第４実施形態による精密誘導植立のためのインプラント用のステント固定体を概略的に示す斜視図である。
【００３３】
インプラントとは、異常があるか、または損失した歯を代替するために使用される補綴物の一種であって、隣接した歯を損傷させずに個別的に手術することが可能であるだけでなく、長寿命のため、最近、脚光を浴びる医療技術の一つである。
【００３４】
このようなインプラントは、ドリルなどを用いて患者の歯槽骨を穿孔した後に植立されるため、患者の歯槽骨を穿孔することがなにより重要である。
【００３５】
インプラントを植立するために使用されるものがステントであって、患者の歯肉及び歯に適しており、インプラントを植立するにあたって、穿孔作業時に水平及び垂直方向に対して安定性及び維持力を確保する。
【００３６】
このとき、前記ステントの内側に所定の弾性力を有する弾性体を充填させることによって、さらに安定性及び維持力を確保することができる。
【００３７】
しかし、無歯顎または歯の数が非常に少ない患者の場合には、さらに大きい維持力が確保されねばならないため、本発明による固定体をステントの外部の一側に貫通させて備える。
【００３８】
図面に示すように、本発明による精密誘導植立のためのインプラント用のステント固定体１は、固定スクリュー１０を備える。固定スクリュー１０は、ステント（図示せず）または前記ステントの内側に充填された弾性体（図示せず）を貫通して歯肉内の歯槽骨と螺合するようにネジ山が形成されたネジ山部１０ｂと、前記ネジ山１０ｂから長手方向に所定の長さを有して一体に形成された誘導部１０ｃと、前記誘導部１０ｃの上端部に前記誘導部１０ｃの外径よりさらに大きい直径を有する頭部１０ａとを有する。
【００３９】
また、ステント固定体１は、前記固定スクリュー１０が螺合される位置で、前記歯肉に対して所定の支持力を有するように円板状の支持部２０ｂと、前記支持部２０ｂから内側に前記誘導部１０ｃに対応する形状を有する誘導結合孔２０ａを備える誘導結合部２０ｃとからなる固定ベース２０を備える。
【００４０】
このとき、前記頭部１０ａの外形は、本明細書では図面に円形で示しているが、円形以外に多角形にも形成することが可能である。但し、前記頭部１０ａの形状がこれらに限定されるものではない。
【００４１】
また、前記頭部１０ａの上端面の所定の位置に多角形の締結溝１０ｄをさらに形成することによって、前記固定スクリュー１０をさらに容易に歯肉及び歯槽骨に締結することができる。
【００４２】
一方、前記誘導部１０ｃと前記誘導結合孔２０ａとは相互に対応する形状に形成されることが好ましい。
【００４３】
また、前記誘導結合部２０ｃの外形はテーパー状を有し、その縦断面が台形に形成されて、患者の歯肉及び歯槽骨に対して所定の支持力を確保することができる。
【００４４】
また、前記誘導結合部２０ｃは、上側から下側に向かって直径が次第に大きくなる形状を有するため、ステントの製作時、前記誘導結合部２０ｃは前記ステントから離脱せずに、所定の固定力によって堅く固定されて位置することができる。
【００４５】
一方、前記誘導結合部２０ｃの外形は、テーパー状以外に円筒形に形成することも可能であり、これにより、患者の歯肉及び歯槽骨に対して所定の支持力を有することができる。
【００４６】
また、前記支持部２０ｂは、本明細書では円板状に形成したが、円板状以外に多様な多角形に形成することも可能である。
【００４７】
これは、前記支持部２０ｂに塗布される前記ステントに対して外部へ前記固定ベース２０が離脱することを防止し、前記ステントを固定させるための正確な位置に誘導する役割を行う。
【００４８】
本発明による精密誘導植立のためのインプラント用のステント固定体１の締結過程は次の通りである。
【００４９】
先ず、インプラントを植立するためにステントを患者の歯及び歯肉に接合させる前に、本発明による前記ステント固定体１の固定位置を決定した後、前記位置の歯肉の外側面に前記固定ベース２０を位置させる。
【００５０】
このとき、前記ステントは、所定の弾性力を有する弾性体が充填されていることも可能である。
【００５１】
したがって、患者の歯及び歯肉の印象を採得した石膏モデルに、前記ステント固定体１を固定させる位置に前記固定ベース２０を位置させ、前記固定ベース２０の前記誘導結合孔２０ａを介して前記固定スクリュー１０を挿入させる。
【００５２】
そして、前記固定スクリュー１０の前記誘導部１０ｃは、前記固定ベース２０の誘導結合部２０ｃの前記誘導結合孔２０ａを介してガイドされて、前記石膏モデルの固定位置に前記ネジ山部１０ｂが前記石膏モデルの内側に所定の深さだけ、すなわち、前記ネジ山部１０ｂのネジ山の長さだけ螺合されて堅く固定される。
【００５３】
このように、前記固定スクリュー１０を回転させて前記石膏モデルの内側に締結させるにあたって、前記頭部１０ａの外周縁を時計回り方向または逆時計回り方向に回転させるによって締結することができる。
【００５４】
また、前記頭部１０ａの上側に締結溝１０ｄをさらに形成させて、前記締結溝１０ｄに締結具をさらに挿入して時計回り方向または逆時計回り方向に回転させて締結することも可能である。
【００５５】
このとき、前記締結溝１０ｄの外形は、本明細書では多角形で示した（図３を参照）。
【００５６】
一方、前記石膏モデルの歯及び歯肉の外側面にステント材質（図示せず）を塗布させるが、このとき、所定の固定位置に固定された本発明による前記ステント固定体１の前記誘導部２０の下側から所定の位置までに前記ステント材質が塗布される。
【００５７】
その後、硬化によって好ましいステントが製作され、前記誘導部２０から前記固定スクリュー１０の螺合を解除させれば、前記誘導部２０は実質的に患者の歯肉に前記ステントを固定させる位置で前記ステントに固定される。
【００５８】
前記のように製作されたステントは、歯の数が非常に少ないか、または無歯顎である患者の歯肉の所定の固定位置に前記固定ベース２０を位置させる。
【００５９】
また、前記固定ベース２０の上端から前記誘導結合孔２０ａを介して前記固定スクリュー１０のネジ山部１０ｂから挿入されることによって、前記誘導部１０ｃは前記誘導結合部２０ｃの前記誘導結合孔２０ａに沿って挿入及び誘導される。
【００６０】
また、前記ネジ山部１０ｂの先端が前記ステントの締結位置と接触すれば、別途の締結具を用いて前記頭部１０ａの外側を所定の速度で回転させることによって（時計回り方向または逆時計回り方向）、前記固定スクリュー１０は前記ステント、またはステント及び弾性体を貫通して患者の歯肉及び歯槽骨と螺合する。
【００６１】
したがって、本発明の第１実施形態による前記固定体１は、前記ステント、またはステント及び弾性体を貫通して患者の歯肉及び歯槽骨と螺合して所定の固定力を維持させることによって、前記ステントまたはステント及び弾性体はさらに安定した維持力を確保する。
【００６２】
これにより、インプラントの植立のための穿孔作業がさらに安定的、正確かつ迅速に行われることができる。
【００６３】
一方、本発明の第２実施形態による精密誘導植立のためのインプラント用のステント固定体１において、固定ベース２０’は第１実施形態による固定ベース２０と区別されるものであって、図８及び図９に示されており、固定スクリュー１０は第１実施形態によるものと同じ構造を有するものであって、第１実施形態と共に図１ないし図５を参照して説明する。
【００６４】
したがって、第２実施形態によるステント固定体１は、ステント（図示せず）、または前記ステント（図示せず）の内側に充填された弾性体（図示せず）を貫通して歯肉内の歯槽骨と螺合するようにネジ山が形成されたネジ山部１０ｂと、前記ネジ山１０ｂから長手方向に所定の長さを有して一体に形成された誘導部１０ｃと、前記誘導部１０ｃの上端部に前記誘導部１０ｃの外径よりさらに大きい直径を有する頭部１０ａとからなる固定スクリュー１０を備える。
【００６５】
また、前記固定スクリュー１０が螺合される位置で、前記歯肉に対して所定の支持力を有し、内側に前記誘導部１０ｃに対応する形状を有する誘導結合孔２０ａを備える誘導結合部２０’ｃからなる固定ベース２０’を備える。
【００６６】
このとき、前記誘導結合部２０’ｃの外周縁の所定の位置に円周方向に所定のサイズのグルーブ２０’ｂがさらに形成されてなる。
【００６７】
このとき、前記頭部１０ａの外形は、本明細書では図面に円形で示しているが、円形以外に多様な多角形に形成することも可能である。
【００６８】
また、前記頭部１０ａの上端面の所定の位置に多角形の締結溝１０ｄをさらに形成することによって、前記固定スクリュー１０をさらに容易に歯肉及び歯槽骨に締結することができる。
【００６９】
また、前記誘導部１０ｃと前記誘導結合孔２０ａとは相互に対応する形状に形成されることが好ましい。
【００７０】
また、前記誘導結合部２０’ｃの外形はテーパー状を有し、その縦断面が台形に形成されて、患者の歯肉及び歯槽骨に対して所定の支持力を有することができる。
【００７１】
また、前記誘導結合部２０’ｃは、上側から下側に向かって直径が次第に大きくなる形状を有するため、前記グルーブ２０’ｂの内側に備えられたステントの一部によって、ステントの製作時、前記誘導結合部２０’ｃは前記ステントから離脱せずに、所定の固定力によって堅く固定されて位置することができる。
【００７２】
一方、前記誘導結合部２０’ｃの外形は、テーパー状以外に円筒形に形成することも可能であり、これにより、患者の歯肉及び歯槽骨に対して所定の支持力を有することができる。
【００７３】
したがって、本発明の第２実施形態による前記固定体１は、前記ステント、またはステント及び弾性体を貫通して患者の歯肉及び歯槽骨と螺合して所定の固定力を維持させることによって、前記ステント、またはステント及び弾性体はさらに安定した維持力を確保する。
【００７４】
これにより、インプラントの植立のための穿孔作業がさらに安定的、正確かつ迅速に行われることができる。
【００７５】
本発明による第３実施形態は、図２に示すように、頭部を取り囲むカバー部１００をさらに備える。このように頭部を完全に取り囲むことによって、さらに堅い固定力を確保することができる。
【００７６】
本発明による第４実施形態は、図１０に示すように、固定スクリューの上部及び頭部の下端部に補助ネジ山部１２０をさらに備える。これにより、固定ベースとさらに堅く結合して安定した固定力を確保することができる。補助ネジ山部１２０と固定ベースとの対応する位置にネジ山部１３０をさらに備えて補助ネジ山部１２０と結合する。
【００７７】
このように、本発明は、記載された実施形態に限定されるものではなく、本発明の思想及び範囲を逸脱することなく多様に修正及び変形することができるということは当業者にとって明らかである。したがって、そのような修正例または変形例は本発明の特許請求の範囲に属するものとする。
【産業上の利用可能性】
【００７８】
本発明は、従来のステントにさらに安定した維持力を確保させるために、ステントに備えられた固定ベースを通じて固定スクリューを挿入及びガイドさせて患者の歯肉及び歯槽骨と螺合させて、さらに安定した維持力を確保させることによって効率的なインプラント手術を行うステント固定体を提供することができる。
【符号の説明】
【００７９】
１  固定体
１０  固定スクリュー
１０ａ  頭部
１０ｂ  誘導部
１０ｃ  ネジ山部
１０ｄ  締結溝
２０  固定ベース
２０ａ  誘導結合孔
２０ｂ  支持部
２０ｃ  誘導結合部
２０’  固定ベース
２０’ａ  誘導結合孔
２０’ｂ  グルーブ
２０’ｃ  誘導結合部
【図１】
2011501998.tif 000003
【図２】
2011501998.tif 000004
【図３】
2011501998.tif 000005
【図４】
2011501998.tif 000006
【図５】
2011501998.tif 000007
【図６】
2011501998.tif 000008
【図７】
2011501998.tif 000009
【図８】
2011501998.tif 000010
【図９】
2011501998.tif 000011
【図１０】
2011501998.tif 000012
【国際調査報告】
2011501998.tif 000013
2011501998.tif 000014